(57)【特許請求の範囲】
【請求項１】
貯水容器のキャップの穴の外側に、該穴に連通する内径４ｍｍ程度のビニール管の一方の端部が固着され、前記ビニール管の他方の端部に被さる態様で、筒状に組まれた組紐が固着されて延び、太さ並太毛糸程度の細紐が、前記キャップの穴に挿通され、前記細紐の前記キャップの内側の部位は、剥き出しの状態で前記貯水容器に挿入され、前記細紐の前記キャップの外側の部位は、前記該ビニール管の管内に挿通されて、前記筒状の組紐にまで延設され、前記貯水容器から出る水と前記貯水容器に入る空気は前記組紐の織目のみを出入り口として構成した、前記貯水容器と前記キャップとから構成される貯水容器であって、
前記貯水容器の水が前記細紐の毛細管現象により吸水されることで前記組紐に一定量保水され、該組紐に保水された水が鉢土に吸い取られると、入れ替えに前記組紐を通して空気が前記ビニール管に取り込まれ、取り込まれた空気は前記貯水容器に入り、入れ替えに水が流れ出て前記組紐の保水量が常に一定に保たれ、前記貯水容器からの出る水の量は前記組紐に保水されている水を、鉢土が吸い取ると空気と入れ替えに流れ出て調整し、前記組紐に保水された水を鉢の底穴から自然吸水させることを特徴とする鉢植えに自然吸水させる貯水容器。
【発明の詳細な説明】
【技術分野】
【０００１】  本発明は、旅行などの留守中に、鉢植えの水枯れを防ぐため、長期間安定して、貯水容器の水を容器の内圧、毛細管現象で鉢植えの底穴から、鉢植えに自然吸水させるため出る水の量を調整するものである。
【背景技術】
【０００２】  従来は、留守にする前にたっぷりな水遣り、鉢を水に浸す「腰水」、ペットボトルに穴あき円錐型キャップを付け鉢植えに差す、自動潅水システム、等で水遣りをしている。
在宅時でもうっかり、水遣りを忘れる、受皿の溜まり水を放置する、などの事がある。
【発明の開示】
【発明が解決しようとする課題】
【０００３】  そのため、次のような問題点があった。
（イ）鉢植えの土の乾き具合に関係なく、留守中は水遣りがされる為、水枯れや水のやり過ぎで、大切な鉢植えを駄目にしてしまう事がある。
（ロ）留守にする前の水遣り、鉢を水に浸す「腰水」、は対応期間が短い。
（ハ）自動潅水システムは値段が高く費用負担が大きい。
（ニ）円錐型キャップは、水の出る量の調整が難しい、又、小さい鉢には使えない。
（ホ）在宅時は、鉢土の乾き具合を常にチェックしなくてはならない。
本発明は以上の問題点を解決しようとするものである。
【課題を解決するための手段】
【０００４】
貯水容器のキャップに穴を開け、ビニール管の一方の端部に固着する。そのビニール管の他方の端部には筒状に組まれた組紐を被せるように固着する。キャップの内側より、細紐の一方の端部をビニール管と筒状の組紐の中に挿入、その細紐の先端部を組紐に固着、細紐の他方の端部は貯水容器に挿入する。固着した組紐に、貯水容器の水を容器の内圧と、細紐の毛管現象により、鉢の底穴から自然吸水させる。貯水容器の規格は飲料水用ペットボトルのキャップと同一にする。以上を特徴とする鉢植えに自然吸水させる貯水容器キャップである。
【発明の効果】
【０００５】  本発明は、水枯れ等について、鉢土の乾き具合により貯水容器の水を容器の内圧、鉢土の毛細管現象で組紐から鉢土が自然吸水し、鉢土の保水具合を常に一定に保つ為、水枯れ、受皿の水溜りは起きない、鉢土の乾き具合のチェックも必要ない。
長期の旅行などでも、貯水容量を増やせば、鉢土が自力で吸水し続けるため、日数の長短に拘らず鉢植えの水遣りには気遣わずに安心して留守にする事が出来る。
貯水容器から出る水の量は、組紐に保水している水を鉢土が吸い取ると空気が入り、入れ替えに水が流れ出て鉢土が調整をするので、人為的に調整する必要ない。
水遣りの費用負担は貯水容器に飲料水用ペットボトルのリサイクルが出来る、本発明の鉢植えに自然吸水させる貯水容器キャップは構造が単純な仕組み、などで小さい。
鉢が大きい小さい深い浅いに拘らず、同じ使用方法で鉢の底穴から吸水させるため、いろいろな形の鉢植えに使用する事が出来る。
組紐に保水された水は、組紐を鉢受皿に平らに置くため、表面張力により外に流れ出ることは無く、鉢土が吸水するので無駄にならない。
【発明を実施するための最良の形態】
【０００６】  以下、本発明の実施の形態を説明する。
（イ）貯水容器（９）のキャップ（１）の中央にキャップの穴（２）を開け、そのキャップの穴（２）に、内径４ｍｍ程度、長さ１５ｃｍ程度のビニール管（４）の一方の端部を固着する。
（ロ）ビニール管（４）の他方の端部には、長さ６ｃｍ〜８ｃｍ程度の組紐（５）を被せるように固着する。その固着した組紐（５）は貯水容器（９）の水を組紐（５）の織目（メッシュ）より、鉢土（１１）に鉢の底穴（７）から自然吸水させるため、容器の内圧により一定量保水する。その保水した水が鉢土（１１）に吸い取られると、組紐（５）は入れ替えに空気を組紐（５）の織目（メッシュ）より取り込む。その空気は、気泡となって貯水容器（９）に入り、空気と入れ替えに水が流れ出て、組紐（５）の保水量を常に一定に保つ。組紐（５）以外の部分からは、空気が入らないよう気密にし、貯水容器（９）から出る「水」と貯水容器（９）に入る「空気」は、組紐（５）の織目（メッシュ）のみを出入り口とする。
（ハ）キャップ（１）の内側より、太さ並太毛糸程度、長さ３０ｃｍ程度の吸水性の有る細紐（３）の一方の端部をビニール管（４）と組紐（５）の中に挿入し、その細紐（３）の先端部を組紐（５）に固着、細紐（３）の他方の端部は貯水容器（９）に挿入する。その細紐（３）は貯水容器（９）の水を毛細管現象により組紐（５）に一定量保水させる。
本発明は、以上の構成よりなっている。
本発明を使用するときは
（イ）貯水容器（９）に水を入れ、本発明の鉢植えに自然吸水させる貯水容器キャップをセットする。
（ロ）鉢植え（６）には、鉢受け皿（８）を使用する。
（ハ）貯水容器（９）は架台（１０）を用いて、鉢受け皿（８）の脇にキャップ（１）を下に向けて置く。
（ニ）組紐（５）の固着部分は、鉢受け皿（８）に接触するようにし、組紐（５）を、鉢の底穴（７）と鉢受け皿（８）との間に挟む。
（ホ）鉢土（１１）は、鉢土（１１）の乾き具合により、組紐（５）に保水されている水を、鉢の底穴（７）から自然吸水する。
（ヘ）貯水容器（９）から出る水の量は、組紐（５）に保水している水を鉢土（１１）が吸い取ると空気と入れ替えに流れ出て鉢土（１１）が調整をするので、人為的に調整する必要ない。
（ト）鉢の底穴（７）の位置、鉢（１２）の肉厚等により、鉢土（１１）が組紐（５）に保水している水を吸い取れない場合は、吸水性が良いフェルト等の一方の端部を鉢の底穴（７）に差し込み、そのフェルト等の他方の端部が組紐（５）に接触するように、鉢植え（６）と鉢受け皿（８）の間に組紐（５）を挟む。
なお、本発明については、次の応用が可能である。
大型貯水容器（１５）、植木鉢が複数並べられる大型鉢受け皿（１３）、保水性が有る保水用マット（１４）、を使用してベランダ等で複数の鉢植えに吸水させる。
大型貯水容器（１５）に水を入れ、本発明の鉢植えに自然吸水させる貯水容器キャップをセットする。大型鉢受け皿（１３）には保水用マット（１４）敷き、その上に複数の鉢植え（６）を並べる。大型貯水容器（１５）は大型架台（１６）を用いて、大型鉢受け皿（１３）の脇にキャップ（１）を下に向けて置く。組紐（５）を、鉢植え（６）と保水用マット（１４）との間に挟む。
【図面の簡単な説明】
【０００７】
【図１】    本発明の斜視図
【図２】    本発明の分解斜視図
【図３】    本発明の使用状態を示す斜視図
【図４】    本発明の要部断面図
【図５】    本発明の応用例の使用状態を示す斜視図
【符号の説明】
【０００８】  １  キャップ
２  キャップの穴
３  細紐
４  ビニール管
５  組紐
６  鉢植え
７  鉢の底穴
８  鉢受け皿
９  貯水容器
１０  架台
１１  鉢土
１２  鉢
１３  大型鉢受け皿
１４  保水用マット
１５  大型貯水容器
１６  大型架台
【図１】
0004094033.tif 000002
【図２】
0004094033.tif 000003
【図３】
0004094033.tif 000004
【図４】
0004094033.tif 000005
【図５】
0004094033.tif 000006